(57)【要約】      （修正有）【課題】バネ荷重された医療装置および製造方法を提供する。【解決手段】接着剤３０と結合されたいくつかの表面１０、２０を含む構造体１００であって、前記構造体１００は、接着剤３０の部分的な劣化の際に再形成するように構成されている。再形成とは、前記構造体１００が、予め加えられた機械的負荷を有する状態から、元の形状に戻るプロセスである。前記構造体１００は、ステントなどの埋め込み可能な医療装置であってよく、前記接着剤３０の劣化速度を調整することによってバネ荷重を徐々に解放するように構成される。また、前記構造体１００は、前記接着剤３０の部分的な劣化により再形成される際に、少なくとも１種の化学物質を放出するように構成されてもよい。【選択図】図１
2020179160.tif 000002
【特許請求の範囲】
【請求項１】
接着剤（３０）と一緒に結合されたいくつかの表面（１０、２０）を含む構造体（１００）であって、前記構造体は、前記接着剤（３０）の少なくとも部分的な劣化の際に再形成するように構成されている、構造体（１００）。
【請求項２】
前記接着剤は生体適合性および／または生分解性接着剤である、請求項１に記載の構造体。
【請求項３】
前記接着剤は生体適合性および／または生分解性ポリマーである、請求項１または２のいずれか１項に記載の構造体。
【請求項４】
医療装置として構成されている、いずれかの先行する請求項に記載の構造体。
【請求項５】
埋め込み可能な医療装置として構成されている、いずれかの先行する請求項に記載の構造体。
【請求項６】
ステントとして構成されている、いずれかの先行する請求項に記載の構造体。
【請求項７】
前記接着剤（３０）は、原子層堆積（ＡＬＤ）層として提供される少なくとも１つの層によって前記表面（１０、２０）に確立されている、いずれかの先行する請求項に記載の構造体。
【請求項８】
前記接着剤（３０）の少なくとも部分的な劣化の際に解放されるバネ荷重などの機械的負荷に耐えるように構成されている、いずれかの先行する請求項に記載の構造体。
【請求項９】
前記接着剤（３０）の劣化速度を調整することによってバネ荷重を徐々に解放するように構成されている、いずれかの先行する請求項に記載の構造体。
【請求項１０】
少なくとも１種の化学物質のための容器として構成されている、いずれかの先行する請求項に記載の構造体。
【請求項１１】
前記接着剤（３０）の少なくとも部分的な劣化により再形成される際に前記少なくとも１種の化学物質を放出するように構成されている、いずれかの先行する請求項に記載の構造体。
【請求項１２】
前記化学物質は少なくとも１種の薬学的活性剤を含む、いずれかの先行する請求項に記載の構造体。
【請求項１３】
いくつかの表面（１０、２０）を有する構造体を得ることと、前記表面（１０、２０）を接着剤（３０）と一緒に結合することとを含む、構造体（１００）を製造するための方法であって、前記接着剤（３０）は原子層堆積によって前記表面（１０、２０）に塗布されており、かつ前記構造体は前記接着剤（３０）の少なくとも部分的な劣化時に再形成するように構成されている、方法。
【請求項１４】
少なくとも１種の薬学的活性剤を体内に送達するための方法であって、前記少なくとも１種の薬学的活性剤は、接着剤（３０）と一緒に結合されたいくつかの表面（１０、２０）を含む構造体（１００）の中に提供され、前記構造体は、体内での前記接着剤（３０）の少なくとも部分的な劣化により再形成される際に前記薬学的活性剤を放出するように構成されている、方法。
【請求項１５】
医療装置（１００）におけるＡＬＤで堆積されたコーティングの接着剤としての使用であって、前記医療装置はステントなどの埋め込み可能な医療装置である、使用。
【発明の詳細な説明】
【技術分野】
【０００１】
本発明は一般に埋め込み可能な医療装置の製造に関する。特に本発明はバネ荷重された医療装置、その製造方法および関連する使用に関する。
【背景技術】
【０００２】
ステントは、ヒトの体内における様々な狭窄した管の開存性、すなわち開放すなわち非閉塞状態を維持するために使用される医療装置である。その適用領域は、高い周期的内腔圧を特徴とする心血管系から、より低い圧力であってそれほど大きく変化しない圧力を特徴とする尿路、胃腸管および気道にまで及ぶ。
【０００３】
動脈狭窄または閉塞（それに応じた血管または任意の他の管状および／または中空の器官または構造体の異常な狭小化または封鎖）の治療において、ステントは例えば血管形成後、例えば経皮的血管形成術（ＰＴＡ）後に使用される。ＰＴＡは典型的にはアテローム性動脈硬化症の治療において狭小化または閉塞された動脈または静脈を広げることを必要とする患者における最初の治療選択肢である。ＰＴＡ単独（ステント留置なし）での長期的（２年以上の）開存性が約４０％から約７０％の間で変動しやすいという事実により、ステントの利用は必須である。ＰＴＡ処置後に、ステントは動脈壁の即時弾性リコイルに対抗し、かつ動脈壁に接触しているプラークを治療し、このようにして治療領域を通る最適な血流を確立する。
【０００４】
薄いステントストラットやそれ以外に影響を受けやすいステント設計を有するいくつかのステント、特に薬剤溶出性ステントが遭遇する共通する欠点は、これらのステントがリコイル（ステントリコイル）する場合があるという事実に関連する。
【０００５】
ＰＴＡ処置後のステントリコイルは、流路／空洞を通る血流が著しく減少する場合に再介入を必要とするという理由で問題である。炎症プロセスまたは気道の構造的完全性に影響を与える任意の他のプロセスによって引き起こされる気道狭窄および閉塞、気道を外部から圧迫するか気道を内部的に、例えば気管支内または気管内で狭窄する腫瘍、腫瘍破壊または悪性気管食道瘻の形成により生じる軟骨支持の喪失などの状態のうちのいずれか１つに関して、ステントを使用してその狭窄を拡張して開放し、かつ最大の期間にわたってこの状況を保持する。
【０００６】
同じ原理が胃腸管および泌尿器系における腫瘍に当てはまる。特に気道ならびにある程度は胃腸管および泌尿器系の狭窄の間に生じる圧力状況により、上記位置に配置されたステントは循環系内に配置されたものよりも大きくリコイルしやすい。
【０００７】
従って、体内流路および／または空洞内においてステントなどの医療装置によって加えられる半径方向の力、すなわちステントによって周囲組織に逆らって外向きに生じる力を調整することがかなり必要である。最初の手術（例えばＰＴＡ処置）後に遠隔で半径方向の力を増加させるための手段は、遅発的なステントリコイルの場合には術後に開存性の再確立を可能にする。
【発明の概要】
【０００８】
本発明の目的は、従来の技術の限界および欠点から生じる問題のそれぞれを解決するか少なくとも軽減することにある。この目的は、構造体、当該構造体を製造するための方法および関連する使用の様々な実施形態によって達成される。
【０００９】
一態様では、構造体が独立請求項１に記載されている内容に従って提供される。
【００１０】
一実施形態では、本構造体は接着剤と一緒に結合されたいくつかの表面を含み、かつ本構造体は、当該接着剤の少なくとも部分的な劣化の際に再形成するようにさらに構成されている。
【００１１】
複数の実施形態では、当該接着剤は生体適合性および／または生分解性接着剤である。複数の実施形態では、当該接着剤は生体適合性および／または生分解性ポリマーである。
【００１２】
一実施形態では、当該接着剤は原子層堆積（ＡＬＤ）層として提供される少なくとも１つの層によって本構造体の表面に確立される。
【００１３】
一実施形態では、本構造体は医療装置として構成されている。一実施形態では、本構造体は埋め込み可能な医療装置として構成されている。一実施形態では、本構造体は埋め込み可能なステントなどのステントとして構成されている。
【００１４】
一実施形態では、本構造体は、当該接着剤の少なくとも部分的な劣化の際に解放されるバネ荷重などの機械的負荷に耐えるように構成されている。一実施形態では、本構造体は当該接着剤の劣化速度を調整することによってバネ荷重を徐々に解放するように構成されている。
【００１５】
一実施形態では、本構造体は少なくとも１種の化学物質のための容器として構成されている。一実施形態では、本構造体は、当該接着剤の少なくとも部分的な劣化により再形成される際に前記少なくとも１種の化学物質を放出するように構成されている。一実施形態では、当該化学物質は少なくとも１種の薬学的活性剤を含む。
【００１６】
一態様では、本構造体を製造するための方法が独立請求項１３に記載されている内容に従って提供される。
【００１７】
別の態様では、薬学的活性剤を体内に送達するための方法が独立請求項１４に記載されている内容に従って提供される。
【００１８】
なおさらなる態様では、医療装置におけるＡＬＤで堆積されたコーティングの接着剤としての使用が独立請求項１５に記載されている内容に従って提供される。
【００１９】
特許請求の範囲の範囲および解釈を限定することなく、本明細書に開示されている例示的な実施形態の１つ以上の特定の技術的効果が以下に列挙されている。
【００２０】
原子層堆積（ＡＬＤ）などの薄膜堆積は非常に高いアスペクト比を有する小さい空洞を埋めることができる。間隙および／または孔を有する本質的に全ての固体の表面をコンフォーマルにコーティングすることができる。前記間隙の側壁が堆積中に定常状態に維持される場合、堆積材料は接着剤として機能する。
【００２１】
ＡＬＤで堆積された各種材料は生体液への長期的曝露により劣化または（生）分解することができる。あるいは、ヒトの体内流路および／または空洞などの周囲を埋め込むことによって（例えば、ヒトが前記流路／空洞内に配置されたインプラントを有する場合）、あるいは特定の物理的力を加えるなどの様々な公知の手段を用いる医師によって、機械的力が引き起こされる。
【００２２】
埋め込まれた材料の使用に関連するいくつかの例では、縫合などの加えられた力の解放が治癒後に生じてもよい。
【００２３】
本発明は、例えば圧縮力に抵抗しながら所定の期間にわたって拡張するステント構造体などの医療装置構造体を製造することを可能にする。これは、ステントが通常は外側からの圧縮を受け、それに応じて狭小化／閉塞しやすくなる患者の体内の位置に配置されるものである場合に重要である。同様に、例えば血管の内部空洞が時間と共に狭くなり始める場合、本開示に係る医療装置によって提供される拡張は効率的にそれに抵抗する。
【００２４】
本開示では、１マイクロメートル（μｍ）未満の層厚を有する材料を「薄膜」と呼ぶ。
【００２５】
「いくつかの」という表現は本明細書では１から開始する任意の正の整数、例えば１、２または３を指し、「複数の」という表現は本明細書では２から開始する任意の正の整数、例えば２、３または４を指す。
【００２６】
「要素」という用語は本明細書では、単一の部分または一体化された要素に加えて、複数の機能的かつ任意に物理的にも接続された要素を有する複数部品からなる要素も指してもよい。
【００２７】
「第１の」および「第２の」という用語はどんな順序、量または重要性も示してはおらず、むしろ単にある要素を別の要素から区別するために使用されている。
【００２８】
本発明はここで、添付の図面を参照して一例としてのみ説明されることになる。
【図面の簡単な説明】
【００２９】
【図１】接着剤と一緒に保持された２つの例示的な表面の断面である。
【図２】ステントとして構成された一実施形態に係る構造体の例示的な構成を示し、ここでは前記ステントは機械的力で圧潰されている。
【図３】接着剤が劣化した後に分離された２つの例示的な表面の断面である。
【発明を実施するための形態】
【００３０】
本発明は一態様によれば、接着剤３０と一緒に結合されたいくつかの表面または要素１０、２０を含む構造体１００（図１）の提供に関する。本構造体は任意の数の表面１０、２０を含んでいてもよい。従って、本質的に２つの表面を用いる比較的シンプルな例示的な構造体（蓋付き容器）を提供することができる。本構造体は、数百（またはそれ以上）の図１に１０、２０と表されている表面／要素を含む複雑な構造体として提供することができる。
【００３１】
接着剤３０は少なくとも１つのコーティング層またはコーティングフィルムによって表面１０、２０に確立される。コーティング層は原子層堆積（ＡＬＤ）層として提供することができる。接着剤３０は全ての利用可能な（構造体１００内の）表面１０、２０に確立される。場合によっては、接着剤層は（予め）選択された数の表面１０、２０の上／間に確立される。
【００３２】
実際には、接着剤３０は本構造体内に設けられている全ての表面１０、２０に塗布される。ＡＬＤコーティングはコンフォーマルなコーティングであり、かつ全ての表面を等しくコーティングする。但し、選択的に塗布された成長阻害剤を使用して、選択された場所（表面１０、２０）でのみＡＬＤの成長を可能にすることができる。長鎖アルキルシランの層などの自己集合単層は、化学的に堆積されるコーティングフィルム／層が基板上で成長するのを妨害または防止し、かつフィルム成長阻害剤として使用することができる。追加または代わりとして、フォトン強化ＡＬＤまたはプラズマ支援ＡＬＤによりマスクを用いたパターニング効果を与え、その堆積が曝露された領域のみに形成されるようにしてもよい。
【００３３】
ＡＬＤ成長メカニズムの基本は当業者に公知である。ＡＬＤは少なくとも２種類の反応性前駆体種の少なくとも１つの基板への連続的導入に基づく特殊な化学蒸着方法である。但し、これらの反応性前駆体のうちの１つを、例えばフォトン強化ＡＬＤまたはプラズマ支援ＡＬＤ、例えばＰＥＡＬＤを用いた場合にエネルギーで置き換え、それにより単一の前駆体ＡＬＤプロセスを行うことができることを理解されたい。例えば金属などの純元素の堆積は１種のみの前駆体を必要とする。酸化物などの二元化合物は、前駆体化学物質が堆積される二元材料の元素の両方を含有する場合には１種の前駆体化学物質を用いて作り出すことができる。ＡＬＤによって成長された薄膜は高密度であり、ピンホールを含まず、かつ均一な厚さを有する。場合によっては、化学気相蒸着（ＣＶＤ）を利用してもよい。
【００３４】
少なくとも１つの基板を典型的には反応容器において時間的に分離された前駆体導入に曝露して、連続的自己飽和表面反応によって材料を基板表面に堆積させる。本出願の文脈ではＡＬＤという用語は、全ての適用可能なＡＬＤに基づく技術およびあらゆる同等もしくは密接に関連する技術、例えば以下のＡＬＤサブタイプ：ＭＬＤ（分子層堆積）、プラズマ支援ＡＬＤ、例えばＰＥＡＬＤ（プラズマ強化原子層堆積）およびフォトン強化原子層堆積（光ＡＬＤまたはフラッシュ強化ＡＬＤとしても知られている）などを含む。また当該プロセスはエッチングプロセスであってもよく、その一例はＡＬＥプロセスである。
【００３５】
ＡＬＤは交互の自己飽和表面反応に基づいており、ここでは非反応性（不活性）ガス状担体中の化合物または化学元素として提供される異なる反応物（前駆体）を、基板を収容する反応空間の中に連続的に導入する。反応物の堆積後に当該基板を不活性ガスでパージする。従来のＡＬＤ堆積サイクルは２つの半反応（導入ＡおよびパージＡと導入ＢおよびパージＢ）で進行し、これにより典型的には０．０５〜０．２ｎｍの厚さの材料の層が自己制御（自己飽和）的に形成される。各前駆体のための典型的な基板曝露時間は０．０１〜１秒以内の範囲である。
【００３６】
導入Ａは気相中に第１の前駆体（第１の前駆体蒸気）を含み、導入Ｂは気相中に第２の前駆体（第２の前駆体蒸気）を含む。不活性ガスおよび真空ポンプは典型的に、パージＡおよびパージＢの間に反応空間からガス状の反応副生成物および残留する反応物分子をパージするために使用される。堆積順序は少なくとも１つの堆積サイクルを含む。堆積順序により所望の厚さの薄膜またはコーティングが生成されるまで堆積サイクルを繰り返す。また堆積サイクルは、よりシンプルなものまたはより複雑なものであってもよい。例えばこのサイクルは、パージ工程によって分離された３回以上の反応物蒸気導入を含んでもよく、あるいは特定のパージ工程を省略してもよい。他方、光強化ＡＬＤはパージのための様々な選択肢と共に１種のみの活性前駆体などの様々な選択肢を有する。全てのこれらの堆積サイクルは、論理演算装置またはマイクロプロセッサーによって制御される時限堆積順序を構成する。
【００３７】
以下の説明では、原子層堆積（ＡＬＤ）技術が好ましい方法として使用されている。
【００３８】
従って図１は、堆積プロセスの間に一緒に保持され、それによりそこに堆積された材料、すなわち接着剤３０により互いに接着されている２つの表面（要素）１０、２０を示す。前記接着剤３０により表面１０、２０は一緒に固定して保持されている。
【００３９】
接着剤３０は、少なくとも１つのサイクルの化学蒸着プロセスの間にそれに応じて生成される少なくとも１つのコーティング層によって形成される。場合によっては、少なくとも１つの化学蒸着サイクルはＡＬＤ堆積サイクルである。
【００４０】
いくつかの構成では、接着剤３０は生体適合性および／または生分解性材料を含むかそれからなる。いくつかのさらなる構成では、接着剤３０は生体適合性および／または生分解性ポリマーを含むかそれからなる。接着剤３０は徐々に放出するように構成されていてもよい。
【００４１】
いくつかの構成では、構造体１００は埋め込み可能な医療装置などの医療装置である。本構造体はメッシュ構造体（例えばメッシュワイヤ）、任意にメッシュチューブであってもよい。一実施形態では、構造体１０はステントである。
【００４２】
構造体１００は、例えば接着剤３０の少なくとも部分的な劣化の際に解放されるバネ荷重などの機械的（前）負荷に耐えるように構成されている。接着剤３０の少なくとも部分的な劣化は構造体１００を再形成させる。再形成は、（予め加えられた機械的負荷を有する状態から）前記構造体の「元」の（使用もしくは動作）形状に戻るプロセスとみなすことができる。
【００４３】
従って本開示は、機械的アセンブリとして構成された構造体１００を提供し、その構造体は、要素／表面１０、２０の上／間に堆積された（生体適合性および／または生分解性）接着剤材料３０の少なくとも部分的な劣化または溶解により自身で再形成および／または自己変形する（例えば飛び出す）。
【００４４】
再形成は、接着剤３０の劣化時の当該構造体に加えられたバネ荷重などの機械的（前）負荷の解放により生じる。
【００４５】
バネ荷重の解放は、当該構造体への（外側からの）機械的力の印加によって引き起こすことができる。従って当該構造体は、例えば血管ステントの圧潰時に再形成し／変形し、それにより機械的力が当該構造体に印加されてバネ荷重の解放を引き起こすように構成されていてもよい。
【００４６】
図２は、ステントとして構成された例示的な医療用構造体が機械的力（Ｆ）により圧潰されている状況を示す。その開放形状では、当該ステントは本質的に管状構造体として提供される。図２によって示されている例では、それを指で押圧することで機械的力（Ｆ）が構造体１００に加えられている。
【００４７】
同じ状況（ステントの圧潰）が、例えばヒトの体内に配置された従来のステントを用いた場合に起こる可能性がある。そのような状況を元通りにする（ステントを再形成させる）ために、多くの場合に血管手術などの医学的介入が必要とされる。本開示に係るバネ荷重された構造体１００の提供によって、接着剤３０の溶解によって始動されるバネ荷重の解放により、前記接着剤によって以前に互いに結合された（次いで当該接着剤が溶解された際に互いから離れる）それらの所定の要素／表面１０、２０において確立された接触点に局所応力を生じさせる。ステント構造体においてより応力を生じさせることにより、当該ステントは本質的に管状（開放）形状を再度取得する。
【００４８】
図３は、再形成（バネ荷重の解放）後であって故に接着剤３０を溶解させた後の構造体１００を示す。部品１０および２０は自由に動くことができる。
【００４９】
実際には、接着剤３０と共にその所定の要素または表面１０、２０を「接着」することによって作り出された予め印加された機械的負荷（例えばバネ荷重）を有するステント１００を例えば血管内に挿入する。生体液内で接着剤が徐々に劣化／放出されると、ステント構造体１００は本質的に管状の（開放した）形態に自己再形成し、それにより血管への足場として機能し、かつ血流が妨害されることなくそこを通るように血管を開放した状態に維持する。
【００５０】
追加または代わりの構成では、構造体１００は少なくとも１種の化学物質のための容器として構成されている。そのような場合には、本構造体は容器を形成する要素のグループと、任意に接着剤３０によって当該容器に結合された蓋または任意の他の適当な構成を形成する要素のグループとを含んでいてもよい。表面１０、２０を有するこれらの要素は体内で前記接着剤の少なくとも部分的な劣化および／または溶解により互いから分離する。
【００５１】
少なくとも１種の化学物質のための容器からなるかそれを含む構造体１００は好ましくは、接着剤３０の少なくとも部分的な劣化により再形成される際に前記化学物質を放出するように構成されている。
【００５２】
当該化学物質は少なくとも１種の薬学的活性剤を含む。場合によっては、当該化学物質は前記少なくとも１種の薬学的活性剤を含む医薬品である。従って医療装置１００は、その中に少なくとも１種の医薬品を入れて運ぶように構成されていてもよい。当該医療装置は一度にいくつかの医薬製剤（薬物）を運ぶように構成されていてもよい。
【００５３】
従って本開示に係る構造体１００は、体内での接着剤３０の少なくとも部分的な劣化により再形成および／または自己変形すると前記少なくとも１種の薬学的活性剤を放出するように構成されている。
【００５４】
当該接着剤を構造体１００内の所定の要素１０、２０に塗布することにより、埋め込まれた物品（すなわち医療装置）の所定の部分の少なくとも部分的な開放を引き起こすようにバネ荷重解放効果を調整することができ、この動作により少なくとも１種の薬学的活性剤を含む薬／医薬品が放出される。
【００５５】
各種医学的用途は、医療装置内に接着剤の溶解を提供することにより恩恵を受けることができる。これらの恩恵としては、医療装置構造体１００の溶解により生じる制御された薬物放出、すなわち任意に徐々の溶解が挙げられる。非限定的には、接着剤３０は異なる表面（例えば、金属、プラスチックまたはそれらの組み合わせで作られた表面）に塗布可能にするために、各種材料から異なる方法によって製造することができる。
【００５６】
ステントとして構成された医療用構造体１００（図２を参照）は患者の体内の様々な管状構造体、特に低圧を有する内腔によって形成され、かつ外圧変動（例えば、呼吸および胸腔内圧）に曝露される管状構造体の中に配置することができる。
【００５７】
本開示は主にヒトの患者のための医療装置、例えばステントとして構成された構造体を提供する。但し適当な方法で修正すると、本構造体は非ヒト動物、例えば哺乳類にも適用可能である。
【００５８】
本構造体はさらに、例えば時間の関数として徐々にバネ荷重を解放し、それによりリコイルしやすいステントを「自動的に」（すなわち自身で）拡張させることができるように構成されていてもよい。
【００５９】
従って一実施形態では、本構造体は接着剤３０の劣化速度を調整することによってバネ荷重を徐々に解放するように構成されている。体液および組織中での前記接着剤３０の劣化／溶解速度は、１つ以上のＡＬＤ層の少なくとも組成および／または厚さに関して制御することができる。
【００６０】
堆積用化学物質（前駆体）および／またはいくつかの堆積層を変えることによって、接着剤３０は、薬物の放出速度（一定、加速、減速）を調整し、かつ／または際立った段階（例えば最初に一定または加速または減速（第Ｉ段階）、次いで先の段階とは異なる別の段階（第ＩＩ段階）など）による薬物放出を確立するように構成されていてもよい。さらに、接着剤３０を本構造体内の所定の位置（要素１０、２０）に塗布して例えば区画を作り出して、構造体１００を異なる時点で異なる薬物を格納および放出することができるようにしてもよい。
【００６１】
接着剤３０は各種材料で作られていてもよいが、前記材料の破壊／溶解時に、場合により微小血管経路を封鎖し、かつ／または患者に悪影響を与える可能性がある有毒物質が体内に溶出しないことが重要である。従って、ＡＬＤ技術によって塗布可能な接着剤層は極めて薄い（０．１〜１００ｎｍ）と有利である。
【００６２】
例として、接着剤３０は酸化アルミニウム（Ａｌ２Ｏ３）、酸化マグネシウム（ＭｇＯ）、二酸化ケイ素（ＳｉＯ２）および／またはそれらの組み合わせで作られた少なくとも１つのコーティング層を含んでいてもよい。なお、上記化合物および／またはそれらの組み合わせは、例えば生体液内で溶解可能にするために、所定の反応条件で所定の前駆体を用いて調製して好適な品質の化合物を作り出さなければならない。
【００６３】
サブミリメートルサイズのカプセル、物品またはステントのような例示的な構造体の壁などの非常に小さい構造体にさらなる薄い層を塗布することができる。ＡＬＤを使用する利点は、接着剤の薄く、かつピンホールを含まない層の堆積を可能にし、かつ前記接着剤材料の選択において多様性をさらに提供するという点にある。
【００６４】
例えばサブマイクロメートルの空洞充填のアスペクト比は、フィンランドのＰｉｃｏｓｕｎ  Ｏｙ社から入手可能な例示的な設備であるＰｉｃｏｓｕｎ  Ｒ−２００  Ａｄｖａｎｃｅｄ  ＡＬＤシステムにおいて１０００：１（１０００：１＝深さ：幅のアスペクト比）よりも高いことが実証されている。
【００６５】
本発明はさらに、構造体１００を製造するための方法に関し、この方法は、表面１０、２０を有する構造体を得ることと、複数の表面、任意に（予め）選択された表面を接着剤３０と一緒に結合することとを含む。このようにして得られた構造体は、接着剤３０が少なくとも部分的に劣化する場合に（例えば体液中で）、当該表面が互いに結合される前にそれが有していた形状を得ることによって再形成する、すなわちその元の形状に戻るように構成されている。本方法では、接着剤３０を原子層堆積（ＡＬＤ）によって表面１０、２０に塗布する。当該接着剤を構造体１００内の全ての利用可能な表面１０、２０に塗布して、機械的負荷効果（本明細書の上で考察されているバネ荷重効果など）を作り出すことができる。場合によっては、当該接着剤をいくつかの（予め）選択された表面に塗布することができる。
【００６６】
なおさらに、本発明は少なくとも１種の薬学的活性剤を体内に送達させるための方法に関する。本方法では、接着剤３０と一緒に結合されたいくつかの表面１０、２０を含む構造体１００内に薬学的活性剤が提供され、この構造体は体内での接着剤３０の少なくとも部分的な劣化時に前記薬学的活性剤を放出するように構成されている。本方法では、構造体１００は好ましくは体内、特に体液中での接着剤３０の少なくとも部分的な劣化により再形成される際に前記少なくとも１種の薬学的活性剤を放出するように構成されている。本方法は、少なくとも１種の薬学的活性剤のヒトの患者または代わりとして非ヒト動物、例えば非ヒト哺乳類の体内への送達を可能にする。
【００６７】
一態様では、医療装置におけるＡＬＤで堆積されたコーティングなどの化学的に堆積されたコーティングの接着剤としての使用がさらに提供される。上記使用は好ましくはステントなどの埋め込み可能な医療装置として構成された医療装置に関する。
【００６８】
本開示に記載されている実施形態を所望どおりに適合および組み合わせ可能であることが当業者によって理解されるであろう。従って本開示は、添付の特許請求の範囲内で当業者によって認識可能な装置および堆積方法のあらゆる可能な修正を包含することが意図されている。
【図１】
2020179160.tif 000003
【図２】
2020179160.tif 000004
【図３】
2020179160.tif 000005
【外国語明細書】
2020179160000001.pdf